【手続補正書】
【提出日】令和1年5月28日(2019.5.28)
【手続補正１】
【補正対象書類名】特許請求の範囲
【補正対象項目名】全文
【補正方法】変更
【補正の内容】
【特許請求の範囲】
【請求項１】
対象者の健康に関わる情報を含む対象者データを記憶する記憶装置と、
前記記憶装置から取得した前記対象者データに基づき前記対象者の健康に関わるリスクを分析する分析装置と、
前記分析装置による分析結果を出力する出力装置と、を備え、
前記分析装置は、
前記対象者データに基づき前記対象者のイベント発症リスクを推定するリスク推定部と、
前記リスク推定部により推定した前記イベント発症リスクと、前記対象者データとに基づき、前記対象者に将来的に発生する医療費である将来医療費を予測する医療費予測部と、
前記対象者が医療保険に加入した場合に支払う保険料額を見積もり、予測された前記将来医療費と見積もられた前記保険料額とを比較することにより、前記対象者が前記医療保険に加入することの適否を判定する保険加入適否判定部と、を有する
ことを特徴とするリスク分析システム。
【請求項２】
前記保険加入適否判定部は、予測された前記将来医療費と見積もられた前記保険料額とを比較し、前記保険料額が前記将来医療費以下の場合に前記対象者が前記医療保険に加入することが不適であると判定する
ことを特徴とする請求項１に記載のリスク分析システム。
【請求項３】
対象者の健康に関わる情報を含む対象者データを記憶する記憶装置と、
前記記憶装置から取得した前記対象者データに基づき前記対象者の健康に関わるリスクを分析する分析装置と、
前記分析装置による分析結果を出力する出力装置と、を備え、
前記分析装置は、
前記対象者データに基づき前記対象者のイベント発症リスクを推定するリスク推定部と、
前記リスク推定部により推定した前記イベント発症リスクと、前記対象者データとに
基づき、前記対象者に将来的に発生する医療費である将来医療費を予測する医療費予測部と、を有し、
前記分析装置は、居住地域別に複数種類の分析アルゴリズムを有しており、前記対象者の居住地域に応じて分析アルゴリズムの種類を変更する
ことを特徴とするリスク分析システム。
【請求項４】
対象者の健康に関わる情報を含む対象者データを記憶する記憶装置と、
前記記憶装置から取得した前記対象者データに基づき前記対象者の健康に関わるリスクを分析する分析装置と、
前記分析装置による分析結果を出力する出力装置と、を備え、
前記分析装置は、
前記対象者データに基づき前記対象者の血圧が高血圧か否かを判定するとともに、高血圧である場合には、前記対象者の血圧が予め定められた高血圧の類型のうちのいずれに該当するかを判定する高血圧判定部と、
前記高血圧判定部の判定結果をリスク要因の一つとして用いて、前記対象者のイベント発症リスクを推定するリスク推定部と、
前記リスク推定部により推定した前記イベント発症リスクと、前記対象者データとに基づき、前記対象者に将来的に発生する医療費である将来医療費を予測する医療費予測部と、を有し、
前記対象者データが診察室血圧のデータと家庭血圧のデータを含む場合に、前記高血圧判定部は、前記診察室血圧のデータと前記家庭血圧のデータに基づき前記対象者が高血圧であるか仮面高血圧であるか白衣高血圧であるかを判定する
ことを特徴とするリスク分析システム。
【請求項５】
前記高血圧の類型は、高血圧レベルを含み、
前記対象者の血圧が高血圧であると判定された場合に、前記医療費予測部は、前記対象者の高血圧レベルに基づいて高血圧の治療に必要な医療費も考慮して前記対象者の前記将来医療費を予測する
ことを特徴とする請求項４に記載のリスク分析システム。
【請求項６】
前記リスク推定部は、前記イベント発症リスクとして、前記対象者が疾患を発症する発症確率を推定し、
前記医療費予測部は、前記対象者データに基づき、前記対象者が前記疾患を発症した場合に必要となる医療費を算出し、前記医療費と前記発症確率に基づき前記対象者の将来医療費を予測する
ことを特徴とする請求項１〜５のうちいずれか１項に記載のリスク分析システム。
【請求項７】
前記医療費予測部は、前記対象者が前記疾患を発症した場合に必要となる前記医療費として、入院に要する入院医療費と通院に要する通院医療費を算出する
ことを特徴とする請求項６に記載のリスク分析システム。
【請求項８】
前記リスク推定部は、複数の疾患のそれぞれに対して発症確率を推定し、
前記医療費予測部は、前記複数の疾患のそれぞれに対して将来医療費を予測し、予測された将来医療費を合計することにより、前記対象者の総合的な将来医療費を算出する
ことを特徴とする請求項６又は７に記載のリスク分析システム。
【請求項９】
前記対象者が医療保険に加入した場合に支払う保険料額を見積もり、予測された前記将来医療費と見積もられた前記保険料額とを比較することにより、前記対象者が前記医療保険に加入することの適否を判定する保険加入適否判定部を有する
ことを特徴とする請求項３〜５のうちいずれか１項に記載のリスク分析システム。
【請求項１０】
前記出力装置は、前記保険加入適否判定部の判定結果に基づいて、前記対象者に適した医療保険の条件及び／又は保険料額を出力する
ことを特徴とする請求項１、２又は９に記載のリスク分析システム。
【請求項１１】
前記出力装置は、前記対象者の将来医療費の年毎の推移を示すグラフを生成し出力することを特徴とする請求項１〜１０のうちいずれか１項に記載のリスク分析システム。
【請求項１２】
前記分析装置は、人種別及び／又は居住地域別に複数種類の分析アルゴリズムを有しており、前記対象者の人種及び／又は居住地域に応じて分析アルゴリズムの種類を変更することを特徴とする請求項１、２、４、５のうちいずれか１項に記載のリスク分析システム。
【請求項１３】
前記分析装置は、前記対象者データに基づき前記対象者の高血圧を判定する高血圧判定部をさらに有し、
前記リスク推定部は、前記高血圧判定部の判定結果をリスク要因の一つとして用いて、前記対象者のイベント発症リスクを推定する
ことを特徴とする請求項１〜３のうちいずれか１項に記載のリスク分析システム。
【請求項１４】
前記高血圧判定部により高血圧であると判定された場合に、前記医療費予測部は、高血圧の治療に必要な医療費も考慮して前記対象者の将来医療費を予測する
ことを特徴とする請求項１３に記載のリスク分析システム。
【請求項１５】
対象者の健康に関わる情報を含む対象者データを取得する取得ステップと、
前記対象者データに基づき前記対象者の健康に関わるリスクを分析する分析ステップと、
前記分析ステップによる分析結果を出力する出力ステップと、を有し、
前記分析ステップは、
前記対象者データに基づき前記対象者のイベント発症リスクを推定するステップと、
推定した前記イベント発症リスクと、前記対象者データとに基づき、前記対象者に将来的に発生する医療費である将来医療費を予測するステップと、
前記対象者が医療保険に加入した場合に支払う保険料額を見積もり、予測された前記将来医療費と見積もられた前記保険料額とを比較することにより、前記対象者が前記医療保険に加入することの適否を判定するステップと、を含む
ことを特徴とするリスク分析方法。
【請求項１６】
前記対象者が前記医療保険に加入することの適否を判定するステップでは、予測された前記将来医療費と見積もられた前記保険料額とを比較し、前記保険料額が前記将来医療費以下の場合に前記対象者が前記医療保険に加入することが不適であると判定する
ことを特徴とする請求項１５に記載のリスク分析方法。
【請求項１７】
対象者の健康に関わる情報を含む対象者データを取得する取得ステップと、
前記対象者データに基づき前記対象者の健康に関わるリスクを分析する分析ステップと、
前記分析ステップによる分析結果を出力する出力ステップと、を有し、
前記分析ステップは、
前記対象者データに基づき前記対象者のイベント発症リスクを推定するステップと、
推定した前記イベント発症リスクと、前記対象者データとに基づき、前記対象者に将来的に発生する医療費である将来医療費を予測するステップと、を含み、
前記分析ステップでは、居住地域別に用意された複数種類の分析アルゴリズムのうちか
ら、前記対象者の居住地域に応じた分析アルゴリズムを選択する
ことを特徴とするリスク分析方法。
【請求項１８】
対象者の健康に関わる情報を含む対象者データを取得する取得ステップと、
前記対象者データに基づき前記対象者の健康に関わるリスクを分析する分析ステップと、
前記分析ステップによる分析結果を出力する出力ステップと、を有し、
前記分析ステップは、
前記対象者データに基づき前記対象者の血圧が高血圧か否かを判定するとともに、高血圧である場合には、前記対象者の血圧が予め定められた高血圧の類型のうちのいずれに該当するかを判定するステップと、
前記判定するステップの判定結果をリスク要因の一つとして用いて、前記対象者のイベント発症リスクを推定するステップと、
推定した前記イベント発症リスクと、前記対象者データとに基づき、前記対象者に将来的に発生する医療費である将来医療費を予測するステップと、を含み、
前記対象者データが診察室血圧のデータと家庭血圧のデータを含む場合に、高血圧の類型のうちのいずれに該当するかを判定するステップでは、前記診察室血圧のデータと前記家庭血圧のデータに基づき前記対象者が高血圧であるか仮面高血圧であるか白衣高血圧であるかを判定する
ことを特徴とするリスク分析方法。
【請求項１９】
請求項１５〜１８のうちいずれか１項に記載のリスク分析方法の各ステップをコンピュータに実行させるためのプログラム。
【請求項２０】
請求項１５〜１８のうちいずれか１項に記載のリスク分析方法によって出力された分析結果を表示する表示装置。